(57)【要約】      （修正有）【課題】目地部の幅寸法の２分の１の伸縮を隙間が生じることなく吸収することができ、安全で、かつ構造が簡単で、容易に設置することができる壁用目地カバー装置を得るにある。【解決手段】左右の建物３の目地部側壁面に両端部がヒンジ部材を介して枢支された２個以上の伸縮リンク９と、伸縮リンクの中央部の枢支部に付勢スプリング１０で伸縮リンク方向に付勢されるように枢支された中央目地プレート１４と、伸縮リンクの両端部の枢支部あるいはヒンジ部材の可動部材に一端部が取付けられ他端部が中央目地プレートのガイド部１３と当接した左右の固定目地プレート１６と、伸縮リンクの両端部から４分の１の部位に枢支された両端部が中央目地プレートと左右の固定目地プレートの背面に当接するように位置する目隠しプレート１８とで壁用目地カバー装置を構成している。【選択図】  図３
2006322132.tif 000002
【特許請求の範囲】
【請求項１】
目地部を介して設けられた左右の建物の目地部側壁面に、両端部がヒンジ部材を介して枢支された中央部および、両端部から４分の１の部位に枢支部が位置する少なくとも２個以上の伸縮リンクと、この少なくとも２個以上の伸縮リンクの中央部の枢支部に付勢スプリングで、該伸縮リンク方向に付勢されるように枢支された枢支ピンにほぼ中央部が取付けられた、前記目地部の約２分の１の幅寸法で両端部にガイド部が形成された中央目地プレートと、前記少なくとも２個以上の伸縮リンクの両端部の枢支部あるいはヒンジ部材の可動部材に一端部が取付けられ、他端部が前記中央目地プレートのガイド部と当接し、目地部が狭くなると中央目地プレートを押し上げることができる左右の固定目地プレートと、前記少なくとも２個以上の伸縮リンクの両端部から４分の１の部位の枢支部に枢支された枢支ピンにほぼ中央部が取付けられた両端部が、前記中央目地プレートと前記左右の固定目地プレートの背面に当接するように位置する、前記目地部の幅寸法の約４分の１の幅寸法の左右の目隠しプレートとからなることを特徴とする壁用目地カバー装置。
【請求項２】
目地部を介して設けられた左右の建物の目地部側壁面に、両端部がヒンジ部材を介して枢支された中央部および、両端部から４分の１の部位に枢支部が位置する、少なくとも２個以上の四角形状が４個できるパンタグラフ形状の伸縮リンクと、この少なくとも２個以上の伸縮リンクの中央部の枢支部に付勢スプリングで、該伸縮リンク方向に付勢されるように枢支された枢支ピンに支柱を介してほぼ中央部が取付けられた、前記目地部の約２分の１の幅寸法で両端部にガイド部が形成された中央目地プレートと、前記少なくとも２個以上の伸縮リンクの両端部の枢支部あるいはヒンジ部材の可動部材に一端部が取付けられ、他端部が前記中央目地プレートのガイド部材と当接し、目地部が狭くなると中央目地プレートを押し上げることができる左右の固定目地プレートと、前記少なくとも２個以上の伸縮リンクの両端部から４分の１の部位の枢支部に枢支された枢支ピンにほぼ中央部が取付けられた両端部が、前記中央目地プレートと前記左右の固定目地プレートの背面に当接するように折り曲げられた支持片を有する、前記目地部の幅寸法の約４分の１の幅寸法の左右の目隠しプレートとからなることを特徴とする壁用目地カバー装置。
【請求項３】
目地部を介して設けられた左右の建物の目地部側壁面に、両端部がヒンジ部材を介して枢支された中央部および、両端部から４分の１の部位に枢支部が位置する少なくとも２個以上の伸縮リンクと、この少なくとも２個以上の伸縮リンクの中央部の枢支部にほぼ中央部が取付けられた、前記目地部の約２分の１の幅寸法で両端部にガイド部が形成された中央目地プレートと、前記少なくとも２個以上の伸縮リンクの両端部の枢支部あるいはヒンジ部材の可動部材に一端部が取付けられ、他端部が前記中央目地プレートのガイド部の底面と当接する左右の固定目地プレートと、前記少なくとも２個以上の伸縮リンクの両端部から４分の１の部位の枢支部に枢支された枢支ピンにほぼ中央部が取付けられた両端部が、前記中央目地プレートと前記左右の固定目地プレートの背面に当接するように位置する、前記目地部の幅寸法の約４分の１の幅寸法の左右の目隠しプレートとからなることを特徴とする壁用目地カバー装置。
【発明の詳細な説明】
【技術分野】
【０００１】
本発明は目地部を介して設けられた左右の建物の壁面間を伸縮可能に覆う壁用目地カバー装置に関する。
【背景技術】
【０００２】
従来の壁用目地カバー装置は目地部を介して設けられた左右の建物の目地部側壁面に、両端部がヒンジ部材を介して枢支された中央部に枢支部を有する少なくとも２個以上の伸縮リンクと、この少なくとも２個以上の伸縮リンクの中央部の枢支部に枢支された枢支ピンに支柱を介してほぼ中央部が取付けられた、前記目地部の幅寸法の半分以上の幅寸法の中央目地プレートと、前記少なくとも２個以上の伸縮リンクの両端部の枢支部に一端部が取付けられた他端部が、前記中央目地プレートの両端部と重なり合う、前記目地プレートの約３分の１の幅寸法の左右の固定目地プレートとで構成されている。
【０００３】
このため、目地部の幅寸法の約３分の１の伸縮しか吸収することができないという欠点があった。
【特許文献１】特許３４２００６１
【発明の開示】
【発明が解決しようとする課題】
【０００４】
本発明は以上のような従来の欠点に鑑み、目地部の幅寸法の２分の１の伸縮を隙間が生じることなく吸収することができ、安全に使用することができ、かつ構造が簡単で、容易に設置することができる壁用目地カバー装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設けられた左右の建物の目地部側壁面に、両端部がヒンジ部材を介して枢支された中央部および、両端部から４分の１の部位に枢支部が位置する少なくとも２個以上の伸縮リンクと、この少なくとも２個以上の伸縮リンクの中央部の枢支部に付勢スプリングで、該伸縮リンク方向に付勢されるように枢支された枢支ピンにほぼ中央部が取付けられた、前記目地部の約２分の１の幅寸法で両端部にガイド部が形成された中央目地プレートと、前記少なくとも２個以上の伸縮リンクの両端部の枢支部あるいはヒンジ部材の可動部材に一端部が取付けられ、他端部が前記中央目地プレートのガイド部と当接し、目地部が狭くなると中央目地プレートを押し上げることができる左右の固定目地プレートと、前記少なくとも２個以上の伸縮リンクの両端部から４分の１の部位の枢支部に枢支された枢支ピンにほぼ中央部が取付けられた両端部が、前記中央目地プレートと前記左右の固定目地プレートの背面に当接するように位置する、前記目地部の幅寸法の約４分の１の幅寸法の左右の目隠しプレートとで壁用目地カバー装置を構成している。
【発明の効果】
【０００７】
以上の説明から明らかなように、本発明にあっては次に列挙する効果が得られる。
【０００８】
（１）左右の建物の目地部側壁面に、両端部がヒンジ部材を介して枢支された中央部および、両端部から４分の１の部位に枢支部が位置する少なくとも２個以上の伸縮リンクと、この少なくとも２個以上の伸縮リンクの中央部の枢支部に付勢スプリングで、該伸縮リンク方向に付勢されるように枢支された枢支ピンにほぼ中央部が取付けられた、前記目地部の約２分の１の幅寸法で両端部にガイド部が形成された中央目地プレートと、前記少なくとも２個以上の伸縮リンクの両端部の枢支部あるいはヒンジ部材の可動部材に一端部が取付けられ、他端部が前記中央目地プレートのガイド部と当接し、目地部が狭くなると中央目地プレートを押し上げることができる左右の固定目地プレートと、前記少なくとも２個以上の伸縮リンクの両端部から４分の１の部位の枢支部に枢支された枢支ピンにほぼ中央部が取付けられた両端部が、前記中央目地プレートと前記左右の固定目地プレートの背面に当接するように位置する、前記目地部の幅寸法の約４分の１の幅寸法の左右の目隠しプレートとで構成されているので、左右の建物が異なる左右方向に揺れ動いた場合、目地部の幅寸法が２分の１に狭くなったり、あるいは１．５倍に広くなっても損傷することなく、目地部に隙間が生じることなく覆うことができる。
したがって、安全に使用することができる。
【０００９】
（２）前記（１）によって、一番大きい中央目地プレートは目地部の約２分の１の幅寸法のものを用いることができるので、比較的的小さく、容易に設置作業を行なうことができる。
【００１０】
（３）前記（１）によって、左右の目隠しプレートによって中央目地プレートの外側から約３分の１部位と左右の固定目地プレートのほぼ中央部とを支持することができる。
したがって、中央目地プレートや左右の固定目地プレートの風等によるバタつきを効率よく阻止することができる。
【００１１】
（４）前記（１）によって、左右の建物が異なる前後方向に揺れ動いても、伸縮リンクの両端部のヒンジ部材によって、その揺れ動きを吸収することができる。
【００１２】
（５）請求項２、３も前記（１）〜（４）と同様な効果が得られる。
【発明を実施するための最良の形態】
【００１３】
以下、図面に示す本発明を実施するための最良の形態より、本発明を詳細に説明する。
【００１４】
図１ないし図９に示す本発明を実施するための最良の第１の形態において、  １は目地部２を介して設けられた左右の建物３、３の目地部側壁面３ａ、３ａ間を該左右の建物３、３が異なる前後左右方向に揺れ動いても、その揺れ動きに追従して伸縮して、隙間が生じることなく覆う本発明の壁用目地カバー装置で、この壁用目地カバー装置１は前記左右の建物３、３の目地部側壁面３ａ、３ａに両端部がヒンジ部材４、４を介して、該ヒンジ部材４、４の可動部材４ａ、４ａに枢支ピン５、５で枢支された中央部および両端部から４分の１の部位に、枢支部６、７、８が位置する少なくとも２個以上の伸縮リンク９、９と、この少なくとも２個以上の伸縮リンク９、９の中央部の枢支部６、６に付勢スプリング１０、１０で、該伸縮リンク９、９方向に付勢させるように枢支された枢支ピン１１、１１に取付けられた支柱１２にほぼ中央部が取付けられた、前記目地部の約２分の１の幅寸法で、両端部にガイド部１３、１３が形成された中央目地プレート１４と、前記少なくとも２個以上の伸縮リンク９、９の両端部の枢支部１５、１５あるいはヒンジ部材４、４の可動部材４ａ、４ａに一端部が取付けられ、他端部が前記中央目地プレート１４のガイド部１３、１３と当接し、目地部２が狭くなると中央目地プレート１４を押し上げることができる左右の固定目地プレート１６と、前記少なくとも２個以上の伸縮リンク９、９の両端部から４分の１の部位の枢支部７、８に枢支された枢支ピン１７、１７にほぼ中央部が取付けられた両端部が、前記中央目地プレート１４と前記左右の固定目地プレート１６、１６の背面に当接するように位置する、前記目地部２の幅寸法の約４分の１の幅寸法の左右の目隠しプレート１８、１８とで構成されている。
【００１５】
前記伸縮リンク９は図４に示すように、四角形状が４個形成される伸縮リンク本体１９と、この伸縮リンク本体１９の両端部の枢支部１５、１５に枢支ピン５、５で可動部材４ａ、４ａが枢支されたヒンジ部材４、４とで構成されている。
【００１６】
前記中央目地プレート１４は図５に示すように、中央部に支柱１２が固定された中央目地プレート本体２１と、この中央目地プレート本体２１の両端部の背面に形成された端部側が傾斜面の直角三角形状のガイド部１３、１３とで構成されている。
【００１７】
前記左右の固定目地プレート１６、１６は図６に示すように、前記目地部２の約４分の１の幅寸法の固定目地プレート本体２２と、この固定目地プレート本体２２の一端部にクランク状に曲げ形成された取付部２３と、前記固定目地プレート本体２２の他端部に前記中央目地プレート１４のガイド部１３の傾斜面１３ａに面接触が可能に形成された傾斜面のガイド片２４とで構成されている。
【００１８】
前記左右の目隠しプレート１８、１８は図７に示すように、目隠しプレート本体２５と、この目隠しプレート本体２５の両端部に折り曲げ形成された、前記中央目地プレート１４および左右の固定目地プレート１６、１６の背面に当接する当接片２６、２７とで構成されている。
【００１９】
上記構成の壁用目地カバー装置１は、地震等で左右の建物３、３の目地部２が狭くなるように揺れ動いた場合には、図８に示すように少なくとも２個以上の伸縮リンク９、９が収縮し、左右の固定目地プレート１６、１６の他端部が中央目地プレート１４のガイド部１３、１３を押し付け、付勢スプリング１０、１０の付勢力に抗して前方へ押し出しながら内部へスライド移動して、目地部２の幅寸法がほぼ半分になる状態までの揺れ動きを吸収することができる。
【００２０】
目地部２が広くなるように揺れ動いた場合には、図９に示すように少なくとも２個以上の伸縮リンク９、９が伸長し、左右の固定目地プレート１６、１６が中央目地プレート１４の両端部より離れるように移動するが、該中央目地プレート１４の両端部と左右の固定目地プレート１６、１６の他端部との間には左右の目隠しプレート１８、１８が位置して、目地部２に隙間が生じるのを阻止し、目地部２の幅寸法がほぼ１．５倍になる状態までの揺れ動きを吸収することができる。
[発明を実施するための異なる形態]
【００２１】
次に、図１０ないし図２６に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２２】
図１０ないし図１２に示す本発明を実施するための第２の形態において、前記本発明を実施するための最良の第１の形態と主に異なる点は、両端部がコ字状に折り曲げられたガイド部１３Ａ、１３Ａが形成された中央目地プレート１４Ａと、この中央目地プレート１４Ａの両端部のガイド部１３Ａ、１３Ａの背面に左右の固定目地プレート１６、１６のガイド片２４、２４が挿入されるように位置させた点で、このように構成した壁用目地カバー装置１Ａにしても、前記本発明を実施するための最良の第１の形態と同様な作用効果が得られる。
【００２３】
図１３ないし図１５に示す本発明を実施するための第３の形態において、前記本発明を実施するための最良の第１の形態と主に異なる点は、両端部から４分の１の部位の枢支部７、８に枢支された枢支ピン１７、１７に付勢スプリング２８、２８を介装して、常時左右の目隠しプレート１８、１８を中央目地プレート１４および左右の固定目地プレート１６、１６を押し圧する方向に付勢した点で、このように構成した壁用目地カバー装置１Ｂにしても、前記本発明を実施するための最良の第１の形態と同様な作用効果が得られるとともに、左右の目隠しプレート１８、１８を押し圧する付勢スプリング２８、２８によって、より確実に風による騒音の発生を阻止することができる。
【００２４】
図１６ないし図１９に示す本発明を実施するための第４の形態において、前記本発明を実施するための第３の形態と主に異なる点は、四角形状が２個形成されるとともに、この四角形状の一方の対向するアーム１９ａ、１９ａ、１９ａ、１９ａのほぼ中央部に両端部が枢支ピン２９、２９、２９、２９で枢支された中央部に枢支部７、８を有する中央アーム３０、３０を用いた伸縮リンク本体１９Ａを使用した伸縮リンク９Ａ、９Ａを用いた点で、このような伸縮リンク９Ａ、９Ａを用いて構成した壁用目地カバー装置１Ｃにしても、前記本発明を実施するための第３の形態と同様な作用効果が得られる。
【００２５】
図２０ないし図２３に示す本発明を実施するための第５の形態において、前記本発明を実施するための第３の形態と主に異なる点は四角形状のリンク３１と、このリンク３１の一方の対向するアーム３１ａ、３１ａの中央部に、枢支ピン３２、３２で枢支された中央部に枢支部６が形成された中央アーム３３と、前記リンク３１の一方の対向するアーム３１ａ、３１ａの中央部と両端部との中間部に枢支ピン３４、３４、３４、３４で枢支された中間アーム３５、３６と、この中間アーム３５、３６の前記リンク３１の両端部の枢支部１５、１５と前記中央アーム３３の枢支部６とを結ぶ線状部位に形成された、枢支部７、８とからなる伸縮リンク本体１９Ｂを使用した伸縮リンク９Ｂを用いるとともに、中央目地プレート本体２１の内壁面に中央部が支柱１２となるように曲げ加工された内貼材２１ａを溶着あるいはビス止めにより固定された中央目地プレート１４Ｂを用いた点で、このような伸縮リンク９Ｂ、９Ｂおよび中央目地プレート１４Ｂを用いて構成した壁用目地カバー装置１Ｄにしても、前記本発明を実施するための第３の形態と同様な作用効果が得られるとともに、伸縮リンク９Ｂ、９Ｂが強固に形成できるかわりに、上下方向に大きな設置スペースを設ける所にしか使用することができない。
【００２６】
図２４ないし図２６に示す本発明を実施するための第６の形態において、前記本発明を実施するための最良の第１の形態と主に異なる点は、中央目地プレート１４を伸縮リンク９、９の中央部の枢支部６、６に支持台３７、３７を介して取り付けるとともに、該中央目地プレート１４の両端部のガイド部１３,１３の底面と左右の固定目地プレート１６、１６先端部の前面と当接するように構成した点で、このように構成した壁用目地カバー装置１Ｅにしても、前記本発明を実施するための最良の第１の形態と同様な作用効果が得られる。
【産業上の利用可能性】
【００２７】
本発明は壁用目地カバー装置を製造する産業で利用される。
【図面の簡単な説明】
【００２８】
【図１】本発明を実施するための最良の第１の形態の正面図。
【図２】本発明を実施するための最良の第１の形態の背面図。
【図３】図１の３−３線に沿う断面図。
【図４】本発明を実施するための最良の第１の形態の伸縮リンクの説明図。
【図５】本発明を実施するための最良の第１の形態の中央目地プレートの説明図。
【図６】本発明を実施するための最良の第１の形態の固定目地プレートの説明図。
【図７】本発明を実施するための最良の第１の形態の目隠しプレートの説明図。
【図８】本発明を実施するための最良の第１の形態の目地部が狭くなる動作説明図。
【図９】本発明を実施するための最良の第１の形態の目地部が広くなる動作説明図。
【図１０】本発明を実施するための第２の形態の正面図。
【図１１】本発明を実施するための第２の形態の背面図。
【図１２】図１０の１２−１２線に沿う断面図。
【図１３】本発明を実施するための第３の形態の正面図。
【図１４】本発明を実施するための第３の形態の背面図。
【図１５】図１３の１５−１５線に沿う断面図。
【図１６】本発明を実施するための第４の形態の正面図。
【図１７】本発明を実施するための第４の形態の背面図。
【図１８】図１６の１８−１８線に沿う断面図。
【図１９】本発明を実施するための第４の形態の伸縮リンクの説明図。
【図２０】本発明を実施するための第５の形態の正面図。
【図２１】本発明を実施するための第５の形態の背面図。
【図２２】図２０の２２−２２線に沿う断面図。
【図２３】本発明を実施するための第５の形態の使用状態の説明図。
【図２４】本発明を実施するための第６の形態の正面図。
【図２５】図２４の２５−２５線に沿う断面図。
【図２６】本発明を実施するための第６の形態の目地部が広くなる動作説明図。
【符号の説明】
【００２９】
１、１Ａ、１Ｂ、１Ｃ、１Ｄ、１Ｅ：壁用目地カバー装置、
２：目地部、                  ３：建物、
３ａ：壁面、                  ４：ヒンジ部材、
４ａ：可動部材、              ５：枢支ピン、
６、７、８：枢支部、          ９、９Ａ、９Ｂ：伸縮リンク、
１０：付勢スプリング、      １１：枢支ピン、
１２：支柱、                １３、１３Ａ：ガイド部、
１４、１４Ａ、１４Ｂ：中央目地プレート、
１５：枢支部、              １６：固定目地プレート、
１７：枢支ピン、            １８：目隠しプレート、
１９、１９Ａ、１９Ｂ：伸縮リンク本体、
２１：中央目地プレート本体、  ２１ａ：内貼材、
２２：固定目地プレート本体、  ２３：取付部、
２４：ガイド片、              ２５：目隠しプレート本体、
２６、２７：当接片、          ２８：付勢スプリング、
２９：枢支ピン、              ３０：中央アーム、
３１：リンク、                ３２：枢支ピン、
３３：中央アーム、            ３４：枢支ピン、
３５、３６：中間アーム。
【図１】
2006322132.tif 000003
【図２】
2006322132.tif 000004
【図３】
2006322132.tif 000005
【図４】
2006322132.tif 000006
【図５】
2006322132.tif 000007
【図６】
2006322132.tif 000008
【図７】
2006322132.tif 000009
【図８】
2006322132.tif 000010
【図９】
2006322132.tif 000011
【図１０】
2006322132.tif 000012
【図１１】
2006322132.tif 000013
【図１２】
2006322132.tif 000014
【図１３】
2006322132.tif 000015
【図１４】
2006322132.tif 000016
【図１５】
2006322132.tif 000017
【図１６】
2006322132.tif 000018
【図１７】
2006322132.tif 000019
【図１８】
2006322132.tif 000020
【図１９】
2006322132.tif 000021
【図２０】
2006322132.tif 000022
【図２１】
2006322132.tif 000023
【図２２】
2006322132.tif 000024
【図２３】
2006322132.tif 000025
【図２４】
2006322132.tif 000026
【図２５】
2006322132.tif 000027
【図２６】
2006322132.tif 000028